(57)【要約】【課題】  カードケースでは、収容したカードが他の磁気読取り手段でキャッチされない状況の確保と、このカードが略完全にガードされる状況が望まれる処であり、そのため種々のカードケースが市販されている。さらに交通機関等の改札口の磁気に邪魔されず通行可能な状況の確保、又は改札口の磁気によるカード、フレキシブルディスク等の記録媒体の情報の破壞防止等を図ることも必要な状況である。しかし、十分な防磁効果が図れないのが現況である。【構成】  本発明は、パルプ繊維、カーボン繊維、及び熱可塑性繊維で磁気シールド性シート材を製造し、この磁気シールド性シート材の複数枚をクロス状に積層して紙製磁気シールド性シートを構成し、このクロス状に積層した紙製磁気シールド性シートを、袋状、開閉式、又はバック式等のケースに構成し、磁気カードを隠蔽可能とした構成のカードケースである。従って、カードを外部の磁気から保護できる。【選択図】      図１
2006252325.tif 000002
【特許請求の範囲】
【請求項１】
パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる磁気シールド性シート材を製造し、
この磁気シールド性シート材の複数枚をクロス状に積層して紙製磁気シールド性シートを構成し、
このクロス状に積層した紙製磁気シールド性シートを、袋状、開閉式、又はバック式等のケースに構成し、磁気カードを隠蔽可能とした構成のカードケース。
【請求項２】
アルミ、金、銀、銅、鉄等の金属箔を積層したアルミ、金、銀、銅、鉄等の金属製磁気シールド性シートを構成し、
このアルミ、金、銀、銅、鉄等の金属製磁気シールド性シートを、袋状、開閉式、又はバック式等のケースに構成し、磁気カードを隠蔽可能とした構成のカードケース。
【請求項３】
パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる磁気シールド性シート材を製造し、
この磁気シールド性シート材の中間にアルミ、金、銀、銅、鉄等の金属箔を積層した紙製・アルミ、金、銀、銅、鉄等の金属製磁気シールド性シートを構成し、
前記紙製・アルミ、金、銀、銅、鉄等の金属製磁気シールド性シートを、袋状、開閉式、又はバック式等のケースに構成し、磁気カードを隠蔽可能とした構成のカードケース。
【発明の詳細な説明】
【技術分野】
【０００１】
本発明は、紙製磁気シールド性シート及び／又はアルミ、金、銀、銅、鉄等の金属製磁気シールド性シートを製造し、この紙製磁気シールド性シート及び／又はアルミ、金、銀、銅、鉄等の金属製磁気シールド性シートを、袋状、開閉式、又はバック式等のケースに構成し、磁気カード（フレキシブルディスク等の記録媒体を含む）を隠蔽可能とした構成のカードケースに関する。
【背景技術】
【０００２】
昨今のカード万能時代においては、このカードの保護と、このカードが他の磁気読取り手段でキャッチされない状況の確保と、このカードが略完全にガードされる状況が望まれる処であり、そのため種々のカードケースが市販されている。さらに交通機関等の改札口の磁気に邪魔されず通行可能な状況の確保、又は改札口の磁気によるカード、フレキシブルディスク等の記録媒体の情報の破壞防止等を図ることも必要な状況である。
【０００３】
これに関して、先行文献においても各種の構造、形状又は機能を備えた発明、考案が散見されるので、この種の先行文献（１）〜（４）を以下に列挙する。
【０００４】
先ず文献（１）は、実開昭６１−１７８５６４の「磁気ディスク・磁気カードの保護ケース」である。この文献（１）は紙又は発泡スチロールの素材で９ｍｍ以上の厚みを形成し、この厚みの素材で袋等の保護ケースを形成した構成であり、この素材と厚さを採用することで、コンピュータ等の電子機器の使用下での磁気ディスク・磁気カードの記録情報の破壊を防止することを意図する。
【０００５】
次に文献（２）は実開平７−２２９９３の「ディスク型記録媒体収納ケース」である。この文献（２）には、紙製素材のディスク型記録媒体を収納する収納部を設け、この収納部の対向する一対の紙製素材の側壁を蛇腹状とした構成のディスク型記録媒体収納ケースであり、エコロジカルな記録媒体収納ケースの提供を意図する。
【０００６】
また文献（３）は実開昭６３−１１３８５の「磁気カード類保護ケース」である。この文献（３）には、鉄−ニッケル系合金又は鉄−アルミ合金、アルミ軽合金等の高透磁率材料で形成した箔板の表裏を不織布、織布、紙、ゴム等の被覆シートで覆い、この被覆シートを二つ折りにして袋を構成し、箔板で磁気をカードする構成である。この考案は、磁気カードを外乱磁場から保護することを意図する。
【０００７】
尚、文献（４）は特開平１０−１４０５１の「電線保護カバー」である。この文献（４）には、電線を収容するアルミ製のキャップと、このアルミ製のキャップの下方に設けた樹脂ベース板と、この樹脂ベース板に設けたアルミ製のシールドケースとでなる構成が開示されており、この電線を、上・下方からの磁気に対し、アルミ製のキャップ・シールドケースで保護することを意図する。
【０００８】
【特許文献１】実開昭６１−１７８５６４
【特許文献２】実開平７−２２９９３
【特許文献３】実開昭６３−１１３８５
【特許文献４】特開平１０−１４０５１
【発明の開示】
【発明が解決しようとする課題】
【０００９】
この文献（１）は紙又は発泡スチロールの素材で９ｍｍ以上の厚みを形成し、この厚みの素材で袋等の保護ケースを形成した構成である。そして、この考案が環境に優しく、後処理が好都合であることは、昨今の状況から大いに評価できる。しかし、解決すべき問題が考えられる。即ち、この文献（１）の構成では、９ｍｍ以上の厚み素材で保護ケースが形成されることから、嵩張り、例えば、ポケット等に収容し持ち歩くことに困る。殊に、改札口等の通用箇所に設けられた磁気判別又は読取り手段からの保護と、この通用箇所を通過する際に邪魔となり不都合であること等が挙げられる。
【００１０】
また文献（２）は収納ケースを紙製素材で作成したので、軽く、印刷や加工が容易であること、また破損等で廃棄する際も焼却できるためエコロジー商品としても有用であること等の特徴を有する。しかし、カード類を磁気から保護するための保護ケースとしては有効でなく、前述した改札口等の通用箇所に設けられた磁気判別又は読取り手段からの保護と、この通用箇所を通過する際に邪魔となる不都合を解消するには課題を残すものと考えられる。
【００１１】
さらに文献（３）は高透磁率材料で形成した箔板の表裏を紙でなる被覆シートで被ったシート素材で袋を形成した構成である。しかし、この考案は、箔板と紙で構成することから、保護シートとしての機能を達成するためには、この箔板の厚みを大きくする必要性があり、袋に感触した際に違和感を生ずる虞があること、また袋の重量が嵩むことから、ポケット等への収容に抵抗感があること等の改良点が挙げられる。
【００１２】
また文献（４）は参考文献としてあげたものであって、この発明はアルミ製のキャップとアルミ製のシールドケースで磁気をガードする構成で、「電線保護カバー」で磁気をガードすることのみを意図する。従って、この文献（４）は、構造上で他の物品（製品、部品）への転用は不可能である。以上のことから、本発明とは磁気をガードすることは同じであっても、この本発明が対象とする物品とは、全く異なること、そして、また本発明の構造と目的の相違は明確である。
【課題を解決するための手段】
【００１３】
請求項１の発明は、カードを磁気から確実に保護し、かつ改札口等の通用箇所に設けられた磁気判別又は読取り手段からの保護と、この通用箇所を通過する際に邪魔となる不都合を解消すること等を意図する。また請求項１の発明は、ポケットに簡易かつ違和感なく収容できるカードケースを提供することを意図する。さらに請求項１の発明は、廃棄処分の際に環境に悪影響を与えない紙主体のカードケースを提供することを意図する。
【００１４】
請求項１は、パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる磁気シールド性シート材を製造し、
この磁気シールド性シート材の複数枚をクロス状に積層して紙製磁気シールド性シートを構成し、
このクロス状に積層した紙製磁気シールド性シートを、袋状、開閉式、又はバック式等のケースに構成し、磁気カードを隠蔽可能とした構成のカードケースである。
【００１５】
請求項２の発明は、カードを磁気及び／又は火災、日光等の障害から確実に保護し、かつ改札口等の通用箇所に設けられた磁気判別又は読取り手段からの確実な保護と、この通用箇所を通過する際に邪魔となる不都合を略完全に解消すること等を意図する。また請求項２発明は、ポケットに簡易かつ違和感なく収容できるカードケースを提供することを意図する。さらに請求項２の発明は、簡易に入手できるアルミ、金、銀、銅、鉄等の金属箔を積層したアルミ、金、銀、銅、鉄等の金属製磁気シールド性シートを利用してできるカードケースを提供することを意図する。
【００１６】
請求項２は、アルミ、金、銀、銅、鉄等の金属箔を積層したアルミ、金、銀、銅、鉄等の金属製磁気シールド性シートを構成し、
このアルミ、金、銀、銅、鉄等の金属製磁気シールド性シートを、袋状、開閉式、又はバック式等のケースに構成し、磁気カードを隠蔽可能とした構成のカードケースである。
【００１７】
請求項３の発明は、カードを磁気から確実に保護し、かつ改札口等の通用箇所に設けられた磁気判別又は読取り手段からの確実な保護と、この通用箇所を通過する際に邪魔となる不都合を略完全に解消すること等を意図する。また請求項３の発明は、ポケットに簡易かつ違和感なく収容できるカードケースを提供することを意図する。さらに請求項３の発明は、簡易に入手できるアルミ、金、銀、銅、鉄等の金属箔を積層したアルミ、金、銀、銅、鉄等の金属製磁気シールド性シートを利用してできるカードケースを提供することを意図する。
【００１８】
請求項３は、パルプ繊維とカーボン繊維、及び熱可塑性繊維を混合し、泥状化したパルプ素材を生成し、このパルプ素材をシート状に延展、抄造等の手段により製造し、パルプ繊維中にカーボン繊維を混在してなる磁気シールド性シート材を製造し、
この磁気シールド性シート材の中間にアルミ、金、銀、銅、鉄等の金属箔を積層した紙製・アルミ、金、銀、銅、鉄等の金属製磁気シールド性シートを構成し、
前記紙製・アルミ、金、銀、銅、鉄等の金属製磁気シールド性シートを、袋状、開閉式、又はバック式等のケースに構成し、磁気カードを隠蔽可能とした構成のカードケースである。
【発明の効果】
【００１９】
請求項１の発明は、パルプ繊維とカーボン繊維、及び熱可塑性繊維を混合し、泥状化したパルプ素材を生成し、パルプ素材をシート状に延展、抄造等の手段により製造し、パルプ繊維中にカーボン繊維を混在してなる磁気シールド性シート材を製造し、
磁気シールド性シート材の複数枚をクロス状に積層して紙製磁気シールド性シートを構成し、
クロス状に積層した紙製磁気シールド性シートを、袋状、開閉式、又はバック式等のケースに構成し、磁気カードを隠蔽可能とした構成のカードケースである。
【００２０】
従って、請求項１は、カードを磁気から確実に保護し、かつ改札口等の通用箇所に設けられた磁気判別又は読取り手段からの保護と、この通用箇所を通過する際に邪魔となる不都合を解消できること等の特徴がある。また請求項１は、ポケットに簡易かつ違和感なく収容できるカードケースを提供できる利点がある。さらに請求項１は、廃棄処分の際に環境に悪影響を与えない紙主体のカードケースを提供できる特徴がある。
【００２１】
請求項２の発明は、アルミ、金、銀、銅、鉄等の金属箔を積層したアルミ、金、銀、銅、鉄等の金属製磁気シールド性シートを構成し、
アルミ、金、銀、銅、鉄等の金属製磁気シールド性シートを、袋状、開閉式、又はバック式等のケースに構成し、磁気カードを隠蔽可能とした構成のカードケースである。
【００２２】
従って、請求項２は、カードを磁気及び／又は火災、日光等の障害から確実に保護し、かつ改札口等の通用箇所に設けられた磁気判別又は読取り手段からの確実な保護と、この通用箇所を通過する際に邪魔となる不都合を略完全に解消できること等の特徴がある。また請求項２は、ポケットに簡易かつ違和感なく収容できるカードケースを提供することを意図する。さらに請求項２は、簡易に入手できるアルミ、金、銀、銅、鉄等の金属箔を積層したアルミ、金、銀、銅、鉄等の金属製磁気シールド性シートを利用してできるカードケースを提供できる特徴がある。
【００２３】
請求項３の発明は、パルプ繊維とカーボン繊維、及び熱可塑性繊維を混合し、泥状化したパルプ素材を生成し、パルプ素材をシート状に延展、抄造等の手段により製造し、パルプ繊維中にカーボン繊維を混在してなる磁気シールド性シート材を製造し、
磁気シールド性シート材の中間にアルミ、金、銀、銅、鉄等の金属箔を積層した紙製・アルミ、金、銀、銅、鉄等の金属製磁気シールド性シートを構成し、
紙製・アルミ、金、銀、銅、鉄等の金属製磁気シールド性シートを、袋状、開閉式、又はバック式等のケースに構成し、磁気カードを隠蔽可能とした構成のカードケースである。
【００２４】
従って、請求項３は、カードを磁気から確実に保護し、かつ改札口等の通用箇所に設けられた磁気判別又は読取り手段からの確実な保護と、この通用箇所を通過する際に邪魔となる不都合を略完全に解消できること等の特徴がある。また請求項３は、ポケットに簡易かつ違和感なく収容できるカードケースを提供できる利点がある。さらに請求項３は、簡易に入手できるアルミ、金、銀、銅、鉄等の金属箔を積層したアルミ、金、銀、銅、鉄等の金属製磁気シールド性シートを利用してできるカードケースを提供できる特徴がある。
【発明を実施するための最良の形態】
【００２５】
本発明の一例を説明する。
【００２６】
図面の説明をすると、図１は紙製磁気シールド性シートを製造する過程を示した模式図、図２−１は紙製磁気シールド性シートの要部を示した一部欠截の斜視図、図２−２はアルミ、金、銀、銅、鉄等の金属製磁気シールド性シート（以下、金属製磁気シールド性シートとする。）の要部を示した一部欠截の斜視図、図３は第一の実施例のカードケースを展開し、その一部を欠截して示した斜視図、図４は図３に示した第一の実施例にカードを差入れた状態の使用の一例を示した斜視図、図５は図３に示した第一の実施例の遮蔽しての使用の一例を示した斜視図、図６は図２−１の要部の拡大斜視図、図７は第一の実施例の他のカードケースを展開し、その一部を欠截して示した斜視図、図８は図７に示した第一の実施例にカードを差入れた状態の使用の一例を示した斜視図、図９は第二の実施例のカードケースを展開し、その一部を欠截して示した斜視図、図１０は第三の実施例のカードケースを展開し、その一部を欠截して示した斜視図である。
【００２７】
先ず、図１に示した紙製磁気シールド性シートを製造する過程を示した模式図を利用し、この紙製磁気シールド性シートの製造する過程を説明すると、解繊機、叩解機、又は撹拌混合機械、或いは粉砕混合機械等の手段（解繊機、叩解機とする）に、パルプ繊維及び／又はカーボン繊維等を投入し、当該パルプ繊維、カーボン繊維を、所定の寸法に叩解及び／又は撹拌・粉砕等する。この作業で、叩解及び／又は撹拌・粉砕されたパルプ繊維、カーボン繊維でなる磁気シールド性の粒子（粉砕粒子とする）が生成される。この粉砕粒子に、水分を媒体として撥水又は耐水処理を行って水溶性の粉砕粒子とする（泥状化したパルプ素材であり、所謂、スラリーである）。この工程において、水分を媒体として泥状化したパルプ素材とすることで、例えば、作業の効率化、簡略化と、粉塵の発生回避等が図れること、また泥状化したパルプ素材の品質の向上と、この品質の確保が図れること等の利点がある。そして、以後、この例では二つのルート（以下の「１」と、「２」に区分して説明する）を辿る。そこで、以下、この各ルートを個別に説明する。この水分の付与は、何れの方法でも可能であり、例えば、噴霧、充填、塗布等があるが、何れにしても簡便で確実な方法、工場の設備、経済性等を総合的に判断して決定する。
【００２８】
「１」に示した第一のルート（ウェット成形ルート）は、抄製工程を経由して、紙抄きの感覚で磁気シールド性シートを作製する。この抄製工程は、成形工程により、磁気シールド性シート素材を成形した後に、熱プレスで成形するウェット成形ルートがある。このルートは、例えば、少量成形で、かつ手作業による製造法である。尚、このウェット成形ルートは、熱プレス成形機等によるプレス成形後、エアー工程を利用して付着した塵、埃又は滓等を排除して所定の形状の磁気シールド性シートを製造することが望ましい。この例では、図示しないが、成形後にトリミング加工を行って磁気シールド性シート材を製造する成形ルートもあり得る。
【００２９】
「２」に示した第二のルート（ドライ成形ルート：板紙成形ルート）は、また他の抄製工程は、この磁気シールド性シート素材に乾燥処理及び／又は紙粉防止処理を行った後、積層及び／又は熱圧着工程においてロールプレス機等の熱プレスで、熱による圧着を利用して成形後にトリミング加工を行った後に、エアー工程を利用して付着した塵、埃又は滓等を排除して所定の形状の磁気シールド性シート材を製造する。この他のルートは大量成形で、かつ機械加工・低コストによる製造法である。
【００３０】
尚、前記紙粉防止処理は、水分を媒体として泥状化したパルプ素材に、水溶性エマルジョン等の薬剤を、何れの方法で添加する。その添加は、例えば、噴霧、充填、塗布等があり、簡便かつ確実な方法を採用する。そして、この工程において、紙粉防止処理を行なうのは、乾燥工程により表面に噴き出た紙紛を確実に押えて、平面平滑性を確保できる。また後工程での紙紛落下と、この落下に基づくトラブルの解消と、又は作業の効率化、簡略化等を図り、かつ確実で品質の良い磁気シールド性シート材の製造に有益である。また前記積層及び／又は熱圧着工程においてロールプレス機等の熱プレスで、熱による圧着を利用したルートは、略自然の状態で、前記紙紛の押え及び／又は平面平滑性が確保できるので、有益である。さらにこの他の抄製工程の積層及び／又は熱圧着工程では、図示しないが、芯材として、例えば、牛乳パックの再生品、ダンボール芯、又は他の紙製芯材（再利用が図れ有益である）が利用できる。この芯材の少なくとも一面に磁気シールド性シート材を添接する。尚、この磁気シールド性シート材の枚数は一枚でも可能であるが、枚数が増加すればそれなりの防磁効果（残留磁気、外乱磁場等の各種の磁気を遮断する効果：磁気シールド性）は期待できる。また磁気シールド性シート材を、一枚のみで利用できるので、強度、引張り等による破壊、場合により防磁効果等を問題としない場合にも有益である。
【００３１】
図２−１に示した紙製磁気シールド性シートＡは、防磁を確保するために、磁気シールド性シート材１を複数枚クロス状に積層する。そして、この積層を分かり易くするために図示において線を付し区別した。この図中２はカーボン繊維を、３はパルプ繊維を示した。また必要により接着効果を意図し、熱可塑性繊維４を混入する。尚、カーポン繊維２の混入率によっては、クロス状の積層を変更することもあり得る。尚、磁気シールド性シート材１を複数枚クロス状に積層する目的は、防磁効果を図ること、及び／又はカーポン繊維２の混入率を低く押え、もって低コスト化・軽量化、環境破壊をより少なくすること、或いは紙製磁気シールド性シートＡの薄肉化による低コスト化、環境破壊をより少なくし、また製造の簡便化・加工の容易化を図ること等を意図する。
【００３２】
また図２−２に示した金属製磁気シールド性シートＢは、防磁を確保するために、アルミ、金、銀、銅、鉄等の金属箔（以下、金属箔とする。）１０を複数枚積層する。そして、この積層を分かり易くするために図示において線を付し区別した。尚、磁気シールド性シート材１を複数枚クロス状に積層する目的は、防磁効果を図ること、及び／又は金属製磁気シールド性シートＢの薄肉化による低コスト化・軽量化、環境破壊をより少なくし、また製造の簡便化・加工の容易化を図ること等を意図する。
【００３３】
以上の紙製磁気シールド性シートＡで折畳み形式のカードケースＣを形成する構成を、第一の実施例（第一の例とする）として図３〜６に示した。この第一の例は、開閉自在のカードケースＣであり、収容本体部Ｃ１と、この収容本体部Ｃ１の両端に連設した側板部Ｃ２、Ｃ３とし、前記この収容本体部Ｃ１の長手方向に連設した収容上部Ｃ４と、この収容上部Ｃ４に連設した蓋部Ｃ５とで構成した。この例では、図４の如く、収容本体部Ｃ１の内面に磁気カードＤ（カード）を載置し、この磁気カードＤを側板部Ｃ２、Ｃ３と収容上部Ｃ４で隠蔽し、蓋部Ｃ５を収容本体部Ｃ１の外側に止め具Ｃ６を利用し、図５の如く、止めることで、前記磁気カードＤは完全に磁気からガードされる（磁気シールとされる）。従って、磁気カードＤは、前述した各種の状況でも防磁される特徴がある（破壊及び／又は損傷されることは皆無である）。次に前記紙製磁気シールド性シートＡで袋形式のカードケースＣを形成する構成であって、第一の例の別の構成を、図７、図８に示した。この一例は、長手方向の一方及びその両側面が閉塞した収容本体部Ｃ１と、この収容本体部Ｃ１の長手方向の他方に開口Ｃ７を設けた構成であり、この開口Ｃ７より磁気カードＤを差入れる。この差入れにより磁気カードＤが閉塞状態で収容される。尚、この一例では蓋部Ｃ５を図示しないが望ましくは設けるか、場合によりこの開口Ｃ７を折畳んで閉塞する等の方法を採用する。
【００３４】
次に金属製磁気シールド性シートＢで折畳み形式のカードケースＣを形成する構成を、第二の実施例（第二の例とする）として図９に示した。この第二の例は、開閉自在のカードケースＣであり、収容本体部Ｃ１と、この収容本体部Ｃ１の両端に連設した側板部Ｃ２、Ｃ３とし、前記この収容本体部Ｃ１の長手方向に連設した収容上部Ｃ４と、この収容上部Ｃ４に連設した蓋部Ｃ５とで構成した。この例では、図２の如く、収容本体部Ｃ１の内面に磁気カードＤ（図示せず）を載置し、この磁気カードＤを側板部Ｃ２、Ｃ３と収容上部Ｃ４で隠蔽し、蓋部Ｃ５を収容本体部Ｃ１の外側に止め具Ｃ６（図示せず）を利用して止めることで（図示しない）、前記磁気カードＤは完全に磁気からガードされる。従って、磁気カードＤは、前述した各種の状況でも防磁される特徴がある。そして、この例では、収容本体部Ｃ１の外側をプリント等の手段で柄Ｅを施し、またこの収容本体部Ｃ１の内側をプリント等の手段で柄Ｅを施した例を示したが、この柄Ｅを磁気シールド塗料でプリントすることが望ましい（第一の実施例も同じ）。また図示しないが、この第二の実施例においても袋形式のカードケースＣを形成する構成も可能である。
【００３５】
また紙製磁気シールド性シートＡ・金属製磁気シールド性シートＢで折畳み形式のカードケースＣを形成する構成を、第三の実施例（第二の例とする）として図１０に示した。この第三の例は、金属製磁気シールド性シートＢを芯材とし、この金属製磁気シールド性シートＢを紙製磁気シールド性シートＡで被覆した構成例であり、この第三の例におけるカードケースＣは、前述の第一の例及び／又は第二の例に準ずる。
【図面の簡単な説明】
【００３６】
【図１】図１は紙製磁気シールド性シートを製造する過程を示した模式図
【図２−１】図２−１は紙製磁気シールド性シートの要部を示した一部欠截の斜視図
【図２−２】図２−２は金属製磁気シールド性シートの要部を示したの一部欠截の斜視図
【図３】図３は第一の実施例のカードケースを展開し、その一部を欠截して示した斜視図、
【図４】図４は図３に示した第一の実施例にカードを差入れた状態の使用の一例を示した斜視図
【図５】図５は図３に示した第一の実施例の遮蔽しての使用の一例を示した斜視図
【図６】図６は図２−１の要部の拡大斜視図
【図７】図７は第一の実施例の他のカードケースを展開し、その一部を欠截して示した斜視図
【図８】図８は図７に示した第一の実施例にカードを差入れた状態の使用の一例を示した斜視図
【図９】図９は第二の実施例のカードケースを展開し、その一部を欠截して示した斜視図、
【図１０】図１０は第三の実施例のカードケースを展開し、その一部を欠截して示した斜視図
【符号の説明】
【００３７】
１            磁気シールド性シート材
２            カーボン繊維
３            パルプ繊維
４            熱可塑性繊維
Ａ            紙製磁気シールド性シート
Ｂ            金属製磁気シールド性シート
Ｃ            カードケース
Ｃ１          収容部本体
Ｃ２          側板部
Ｃ３          側板部
Ｃ４          収容上部
Ｃ５          蓋部
Ｃ６          止め具
Ｃ７          開口
Ｄ            磁気カード
Ｅ            柄
１０          金属箔
【図１】
2006252325.tif 000003
【図２−１】
2006252325.tif 000004
【図２−２】
2006252325.tif 000005
【図３】
2006252325.tif 000006
【図４】
2006252325.tif 000007
【図５】
2006252325.tif 000008
【図６】
2006252325.tif 000009
【図７】
2006252325.tif 000010
【図８】
2006252325.tif 000011
【図９】
2006252325.tif 000012
【図１０】
2006252325.tif 000013